(57)【要約】【課題】紙製等のシート材で嵩低くコンパクトに折畳可能であるとともに、簡易な操作で使用可能な形態に変化させることができる掬い具を提供する。【解決手段】シート材Ｓの中央位置で前後方向に延びる中央折り線ＣＬに沿って全体が折り畳まれた折畳状態を有する掬い具１であって、折畳状態にあるシート材Ｓの後部における互いの対向面が固着されて形成される把持部４１と、折畳状態にあるシート材Ｓの前部における互いの対向面が非固着状態とされ、かつ所要の折り線１１〜２３が設けられて形成される掬い部４２とからなり、折畳状態において、掬い部４２に設けられた折り線に対する所定の折り曲げ操作を行うことにより、掬い部４２が立体形状に変形されて使用状態に変化可能とする。【選択図】図１
2012215565.tif 000002
【特許請求の範囲】
【請求項１】
シート材の中央位置で前後方向に延びる中央折り線に沿って全体が折り畳まれた折畳状態を有する掬い具であって、
前記折畳状態にあるシート材の後部における互いの対向面が固着されて形成される把持部と、
前記折畳状態にあるシート材の前部における互いの対向面が非固着状態とされ、かつ所要の折り線が設けられて形成される掬い部とからなり、
前記折畳状態において、前記掬い部に設けられた折り線に対する所定の折り曲げ操作を行うことにより、前記掬い部が立体形状に変形されて使用状態に変化可能としたことを特徴とする掬い具。
【請求項２】
前記掬い部は、その本体部分を構成する掬い部本体と、この掬い部本体と前記把持部との間に設けられる変形接続部とからなり、これら掬い部本体と変形接続部との境界部分に、前記掬い部の底面を前後に区画する山折り線が設けられ、
前記折畳状態において前記山折り線を山折りに折り曲げることで前記掬い部が立体形状に変形されその立体形状が維持される請求項１に記載の掬い具。
【請求項３】
前記掬い部は、その本体部分を構成する掬い部本体と、この掬い部本体と前記把持部との間に設けられる変形接続部とからなり、これら掬い部本体と変形接続部との境界部分に、前記掬い部の底面を前後に区画し、かつ前記中央折り線と交差する山折り線が設けられ、
前記折畳状態において前記掬い部における前記中央折り線を押圧して前記山折り線を山折りに折り曲げることで前記掬い部が立体形状に変形されその立体形状が維持される請求項１に記載の掬い具。
【請求項４】
前記掬い部は、
前記中央折り線の一部を構成する第１折り線を有する第１底板と、
前記第１折り線と同一直線上に位置する第２折り線を有し、前記第１底板の後側に第３折り線を介して連設される第２底板と、
前記第１底板の左側に第４折り線を介して連設される第１左側板と、
前記第１底板の右側に第５折り線を介して連設される第１右側板と、
前記第２底板の左側に第６折り線を介して連設される第２左側板と、
前記第２底板の右側に第７折り線を介して連設される第２右側板とからなり、
前記折畳状態において前記第１折り線または第２折り線を押圧して前記第３折り線を山折りに折り曲げることで前記掬い部が立体形状に変形されその立体形状が維持される請求項１に記載の掬い具。
【請求項５】
前記掬い部は、その上辺部が前方に向かって下側に傾斜された先尖形状とされる請求項１〜４のいずれかに記載の掬い具。
【請求項６】
前記掬い部の内側面に、折り線または印刷による目盛が設けられる請求項１〜５のいずれかに記載の掬い具。
【発明の詳細な説明】
【技術分野】
【０００１】
本発明は、例えば容器に収容した洗剤等の物品を掬うのに好適に用いられる掬い具に関するものである。
【背景技術】
【０００２】
従来、容器に収容した洗剤等の収容物を掬うための掬い具の一種として、計量機能を兼ね備えた計量スプーンがある。この種の計量スプーンは、プラスチック成形品が一般的であった。
近年、包装容器等の環境問題がクローズアップされてきており、プラスチック成形品を極力少なくしようとする動向の中で、洗剤用等に使用されている計量スプーンもプラスチック成形品から紙製等にて提供する試みもなされている。
【０００３】
そこで、例えば特許文献１にて提案されているような組立式計量スプーンが一部で用いられている。
【先行技術文献】
【特許文献】
【０００４】
【特許文献１】特開平９−３０４１５９号公報
【０００５】
この特許文献１に係る組立式計量スプーンは、紙製のシート材を折り畳んで組み立てられるものであって、把持部となる一対の側板を備えている。これら一対の側板のうち、一方の側板の外側端には切欠き部が設けられ、他方の側板にはクビレ部を根元に有する係止片が設けられている。
この組立式計量スプーンにおいては、一対の側板を重ね合わせるとともに、他方の側板における係止片のクビレ部を一方の側板における切欠き部に載せてその係止片を一方の側板に係止させることにより、把持部と同時に物品を掬う掬い部（計量部）が形成されるようになっている。
この組立式計量スプーンによれば、成形品よりも生産コストを安くすることができるばかりでなく、焼却ゴミとして分類されるため、廃棄も簡単で環境に優しいという利点がある。
【０００６】
しかしながら、上記の特許文献１に係る組立式計量スプーンでは、その使用の際に、一対の側板を重ね合わせる操作に加え、他方の側板に設けられた係止片を一方の側板に係止させる操作が必要であるため、使用可能な形態に変化させるための操作が煩雑であるという問題点がある。
【発明の概要】
【発明が解決しようとする課題】
【０００７】
本発明は、前述のような問題点に鑑みてなされたもので、紙製等のシート材で嵩低くコンパクトに折畳可能であるとともに、簡易な操作で使用可能な形態に変化させることができる掬い具を提供することを目的とするものである。
【課題を解決するための手段】
【０００８】
前記目的を達成するために、本発明による掬い具は、
シート材の中央位置で前後方向に延びる中央折り線に沿って全体が折り畳まれた折畳状態を有する掬い具であって、
前記折畳状態にあるシート材の後部における互いの対向面が固着されて形成される把持部と、
前記折畳状態にあるシート材の前部における互いの対向面が非固着状態とされ、かつ所要の折り線が設けられて形成される掬い部とからなり、
前記折畳状態において、前記掬い部に設けられた折り線に対する所定の折り曲げ操作を行うことにより、前記掬い部が立体形状に変形されて使用状態に変化可能としたことを特徴とするものである（第１発明）。
【０００９】
本発明において、
前記掬い部は、その本体部分を構成する掬い部本体と、この掬い部本体と前記把持部との間に設けられる変形接続部とからなり、これら掬い部本体と変形接続部との境界部分に、前記掬い部の底面を前後に区画する山折り線が設けられ、
前記折畳状態において前記山折り線を山折りに折り曲げることで前記掬い部が立体形状に変形されその立体形状が維持されるものとすることができる（第２発明）。
【００１０】
本発明において、
前記掬い部は、その本体部分を構成する掬い部本体と、この掬い部本体と前記把持部との間に設けられる変形接続部とからなり、これら掬い部本体と変形接続部との境界部分に、前記掬い部の底面を前後に区画し、かつ前記中央折り線と交差する山折り線が設けられ、
前記折畳状態において前記掬い部における前記中央折り線を押圧して前記山折り線を山折りに折り曲げることで前記掬い部が立体形状に変形されその立体形状が維持されるものとすることができる（第３発明）。
【００１１】
本発明において、
前記掬い部は、
前記中央折り線の一部を構成する第１折り線を有する第１底板と、
前記第１折り線と同一直線上に位置する第２折り線を有し、前記第１底板の後側に第３折り線を介して連設される第２底板と、
前記第１底板の左側に第４折り線を介して連設される第１左側板と、
前記第１底板の右側に第５折り線を介して連設される第１右側板と、
前記第２底板の左側に第６折り線を介して連設される第２左側板と、
前記第２底板の右側に第７折り線を介して連設される第２右側板とからなり、
前記折畳状態において前記第１折り線または第２折り線を押圧して前記第３折り線を山折りに折り曲げることで前記掬い部が立体形状に変形されその立体形状が維持されるものとすることができる（第４発明）。
【００１２】
本発明において、前記掬い部は、その上辺部が前方に向かって下側に傾斜された先尖形状とされるのが好ましい（第５発明）。
【００１３】
本発明において、前記掬い部の内側面に、折り線または印刷による目盛が設けられるのが好ましい（第６発明）。
【発明の効果】
【００１４】
本発明においては、シート材の中央位置で前後方向に延びる中央折り線に沿って全体が折り畳まれることで折畳状態とされる。
折畳状態にあるシート材の後部における互いの対向面が予め固着されて把持部が形成される。また、折畳状態にあるシート材の前部における互いの対向面が非固着状態とされ、かつ所要の折り線が設けられることで物品を掬う掬い部が形成される。
そして、折畳状態において、掬い部に設けられた折り線に対する所定の折り曲げ操作を行うことにより、掬い部が立体形状に変形されて掬い具として使用可能な使用状態に変化される。
したがって、紙製等のシート材で嵩低くコンパクトに折畳可能であるとともに、簡易な操作で使用可能な形態に変化させることができるという効果を奏する。
ここで、掬い部は、その上辺部が前方に向かって下側に傾斜された先尖形状とされるものとすることにより、例えば洗剤等の物品への食い込みが良くなり、物品を効率的に掬うことができる。
また、掬い部の内側面に、折り線または印刷による目盛が設けられるものとすることにより、物品を正確に計量することができる。
【図面の簡単な説明】
【００１５】
【図１】本発明の一実施形態に係る掬い具の使用状態での全体斜視図で、左上方から見た斜視図（ａ）および右上方から見た斜視図（ｂ）
【図２】本実施形態の掬い具の使用状態での全体斜視図で、左下方から見た斜視図（ａ）および右下方から見た斜視図（ｂ）
【図３】本実施形態の掬い具の展開平面図（ａ）および折畳状態での全体斜視図（ｂ）および折畳状態から左右の側板を開き始めた状態図（ｃ）
【図４】本実施形態の掬い具の変形例で、目盛を印刷した態様例の説明図（ａ）、使用説明図を印刷した態様例の説明図（ｂ）および折曲フラップを設けた態様例の説明図（ｃ）
【発明を実施するための形態】
【００１６】
次に、本発明による掬い具の具体的な実施の形態について、図面を参照しつつ説明する。
【００１７】
＜掬い具の概略説明＞
図３（ａ）に示されるように、本実施形態の掬い具１は、紙製のシート材Ｓの左右方向の中央位置で前後方向に延びる中央折り線ＣＬに沿って、同図（ｂ）に示されるように、全体が折り畳まれた折畳状態を有する掬い具であって、シート材Ｓに設けられた折り線に対する所定の折り曲げ操作にて、図１および図２に示されるように掬い具として使用可能な形態に変化され、例えば容器に収容された洗剤等の物品を掬うのに好適に用いられる。
【００１８】
＜第１底板、第２底板の説明＞
図３（ａ）に示されるように、この掬い具１は、四角形状の第１底板２と、この第１底板２の後側に配される逆三角形状の第２底板３とを備えている。
第１底板２は、中央折り線ＣＬの一部を構成する第１折り線１１を有している。
第２底板３は、第１折り線１１と同一直線上に位置する第２折り線１２を有している。
第１底板２と第２底板３とは、第１折り線１１および第２折り線１２にそれぞれ水平方向に直角に交わる第３折り線１３を介して連設されている。
【００１９】
＜第１左側板、第１右側板の説明＞
第１底板２の左側には、第４折り線１４を介して第１左側板４が連設されている。
第１底板２の右側には、第５折り線１５を介して第１右側板４´が連設されている。
【００２０】
＜第２左側板、第２右側板の説明＞
第２底板３の左側には、第６折り線１６を介して第２左側板５が連設されている。
第２底板３の右側には、第７折り線１７を介して第２右側板５´が連設されている。
【００２１】
＜左縦板、右縦板の説明＞
第１左側板４の後側には、第８折り線１８を介して第１左縦板６が連設されている。
第１右側板４´の後側には、第９折り線１９を介して第１右縦板６´が連設されている。
第２左側板５の後側には、第１０折り線２０を介して第２左縦板７が連設されている。
第２右側板５´の後側には、第１１折り線２１を介して第２右縦板７´が連設されている。
【００２２】
＜各側板同士の連設関係の説明＞
第１左側板４と第２左側板５とは、第１２折り線２２を介して連設されている。
第１右側板４´と第２右側板５´とは、第１３折り線２３を介して連設されている。
【００２３】
＜各縦板同士の連設関係の説明＞
第１左縦板６と第２左縦板７とは、第１４折り線２４を介して連設されている。
第１右縦板６´と第２右縦板７´とは、第１５折り線２５を介して連設されている。
第２左縦板７と第２右縦板７´とは、第１６折り線２６を介して連設されている。
【００２４】
＜折り線に関する留意点の説明＞
なお、第１２折り線２２および第１４折り線２４はそれぞれ第４折り線１４を形成するために、第１３折り線２３および第１５折り線２５はそれぞれ第５折り線１５を形成するために、製造上不可避的に設けられる折り線であり、実質的な折り線としての機能を果たすものではない。
【００２５】
＜第１左側板の形状等の詳細説明＞
第１左側板４は、第４折り線１４と、第１２折り線２２と、第８折り線１８と、後側上辺部２７と、前側上辺部２８と、前辺部２９とによって区画形成される。ここで、後側上辺部２７は、第１２折り線２２と平行で、第８折り線１８に対し直角を成し、かつ前側上辺部２８に対し鈍角を成す辺部である。また、前側上辺部２８は、後側上辺部２７から前方に向かって第４折り線１４側に傾斜する辺部である。また、前辺部２９は、第８折り線１８と平行で、前側上辺部２８に対し鈍角を成し、かつ第４折り線１４に対し直角を成す辺部である。
第４折り線１４（または第１２折り線２２）と第３折り線１３との交点をＡ点とし、後側上辺部２７と前側上辺部２８との交点をＢ点とし、これらＡ点とＢ点とを結ぶように仮想の仕切線３０を描くものとするとき、この仕切線３０と前側上辺部２８と前辺部２９と第４折り線１４とで区画される部分を「第１左側板４の前部４ａ」と称し、この仕切線３０と後側上辺部２７と第８折り線１８と第１２折り線２２とで区画される部分を「第１左側板４の後部４ｂ」と称することとする。
【００２６】
＜第１右側板の形状等の詳細説明＞
第１右側板４´は、第５折り線１５と、第１３折り線２３と、第９折り線１９と、後側上辺部３１と、前側上辺部３２と、前辺部３３とによって区画形成される。ここで、後側上辺部３１は、第１３折り線２３と平行で、第９折り線１９に対し直角を成し、かつ前側上辺部３２に対し鈍角を成す辺部である。また、前側上辺部３２は、後側上辺部３１から前方に向かって第５折り線１５側に傾斜する辺部である。また、前辺部３３は、第９折り線１９と平行で、前側上辺部３２に対し鈍角を成し、かつ第５折り線１５に対し直角を成す辺部である。
第５折り線１５（または第１３折り線２３）と第３折り線１３との交点をＡ´点とし、後側上辺部３１と前側上辺部３２との交点をＢ´点とし、これらＡ´点とＢ´点とを結ぶように仮想の仕切線３４を描くものとするとき、この仕切線３４と前側上辺部３２と前辺部３３と第５折り線１５とで区画される部分を「第１右側板４´の前部４ａ´」と称し、この仕切線３４と後側上辺部３１と第９折り線１９と第１３折り線２３とで区画される部分を「第１右側板４´の後部４ｂ´」と称することとする。
【００２７】
＜中央折り線の説明＞
図３（ａ）（ｂ）に示されるように、第１折り線１１、第２折り線１２および第１６折り線２６は同一直線上に配されており、これら折り線１１，１２，２６によって中央折り線ＣＬが構成される。
【００２８】
＜把持部の説明＞
図３（ｂ）に示されるように、シート材Ｓを中央折り線ＣＬに沿って谷折りに折り曲げ、シート材Ｓの後部に配される左縦板６，７と右縦板６´，７´との互いの対向板面を接着剤等によって固着することにより、これら縦板６，６´；７，７´によって人の手指で持つことのできる把持部４１が形成される。
なお、シート材Ｓを中央折り線ＣＬに沿って谷折りに折り曲げるとは、図３（ａ）において図中に表わされる中央折り線ＣＬ、言い換えれば第１折り線１１、第２折り線１２および第１６折り線２６が下側に隠れてしまうように（同図（ｂ）参照）、シート材Ｓの左半分と右半分とを合わせるように中央折り線ＣＬに沿って折り曲げることである。
【００２９】
＜掬い部の説明＞
図３（ｂ）に示されるように、シート材Ｓを中央折り線ＣＬに沿って谷折りに折り曲げられた折畳状態において、シート材Ｓの前部に配される底板２，３と側板４，４´；５，５´とは、互いの対向板面が非固着状態とされ（同図（ｃ）参照）、これら底板２，３および側板４，４´；５，５´によって所要の折り線１１〜２３を有する掬い部４２が形成される。
なお、前述したように、第１２折り線２２と第１３折り線２３は、製造上不可避的に設けられる折り線であり、掬い部４２の構成として必ずしも必要なものではない。
【００３０】
図１（ａ）に示されるように、掬い部４２は、掬い部本体４２ａと変形接続部４２ｂとから構成されている。
図３（ａ）に示されるように、掬い部本体４２ａは、掬い部４２の本体部分を構成するもので、第１底板２と、第１左側板４の前部４ａと、第１右側板４´の前部４ａ´とから形成されている。
一方、変形接続部４２ｂは、掬い部本体４２ａと把持部４１との間に介設されるもので、第２底板３と、第２左側板５と、第２右側板５´と、第１左側板４の後部４ｂと、第１右側板４´の後部４ｂ´とから形成されている。
【００３１】
掬い部本体４２ａと変形接続部４２ｂとの境界部分には、掬い部４２の底面を構成する第１底板２および第２底板３をそれぞれ前後に区画し、かつ中央折り線ＣＬと直角に交わる山折り線としての第３折り線１３が設けられ、第１折り線１１または第２折り線１２を、図３（ｂ）中記号Ｆ矢印で示されるように下側から上側に向けて押圧して、第３折り線１３を山折りに折り曲げることで、掬い部４２が図１（ａ）に示されるような立体形状に変形されその立体形状が維持される。
なお、第３折り線１３を山折りに折り曲げるとは、第３折り線１３が設けられる部位、つまり第１底板２と第２底板３との境界部分が、図１（ａ）（ｂ）に示されるように、上側に盛り上がるように掬い部４２の底面（底板２，３）を第３折り線１３に沿って折り曲げることである。
【００３２】
掬い部４２においては、図１（ａ）に示されるような立体形状に変化された際における前側上辺部２８，３２により、前方に向かって下側に傾斜された先尖形状とされる。これにより、例えば洗剤等の物品への食い込みが良くなり、物品を効率的に掬うことができる。
【００３３】
＜作用効果の説明＞
以上に述べたように構成される掬い具１の折畳状態から使用状態への操作手順は以下の通りである。
すなわち、図３（ｂ）に示されるように、中央折り線ＣＬに沿って全体が折り畳まれた折畳状態の掬い具１の把持部４１を例えば左手で持ち、同図（ｃ）に示されるように、掬い部４２における第１左側板４と第１右側板４´との間を例えば右手の親指で広げ、第１折り線１１または第２折り線１２を例えば右手の人差し指で図中記号Ｆ矢印で示されるように下側から上側に押圧して第３折り線１３を山折りに折り曲げる。これにより、図１（ａ）に示されるように、掬い部４２が立体形状に変形されその立体形状が維持され、掬い具として使用可能な使用状態へと変化される。
本実施形態の掬い具１においては、左縦板６，７と右縦板６´，７´とが予め固着されて把持部４１が形成されることにより、掬い部４２に設けられた折り線に対する上記の折り曲げ操作のみで掬い部４２を立体形状に容易に変形させてその立体形状を維持することができる。
なお、立体形状に変化された掬い部４２における第３折り線１３の山折り状態を平坦にする押圧操作にて掬い部４２を図３（ｂ）に示されるような扁平な状態（折畳状態）に容易に変化させることができるのは言うまでもない。
【００３４】
本実施形態の掬い具１によれば、シート材Ｓを中央折り線ＣＬに沿って全体を谷折りに折り曲げることで、図３（ｂ）に示されるように、嵩低くコンパクトに折り畳むことができる。
また、図３（ｂ）に示される折畳状態において、第３折り線１３を山折りに折り曲げるという簡易な操作で、図１（ａ）に示されるような掬い具として使用可能な形態にワンタッチで変化させることができる。
【００３５】
以上、本発明の掬い具について、一実施形態に基づいて説明したが、本発明は上記実施形態に記載した構成に限定されるものではなく、その趣旨を逸脱しない範囲において適宜その構成を変更することができるものである。
【００３６】
＜シート材の材質等の変更例＞
上記の実施形態においては、シート材Ｓが板紙（ボール紙）で製作された例を示したが、これに限定されるものではなく、シート材Ｓをミニ段ボールシート（コルゲート中芯の非常に小さい形状のもの）や、紙の加工と類似した加工が行われる材料、例えばプラスチックシート材、ラミネート材、金属箔などで製作してもよい。
また、シート材Ｓの片面（掬い部４２の内面側）に、非有機溶剤系の接着剤を希釈してなる接着剤層を介して例えばポリプロピレンやポリエチレン樹脂などのプラスチックフィルムを貼着してもよい。なお、接着剤の希釈については、剥離性が容易に確保できるように調整されるのが望ましい。こうすると、シート材Ｓからプラスチックフィルムを容易に剥がすことができ、廃棄処分する際に、紙とプラスチックフィルムとに分別してリサイクル容易な状態で分別処理することができる。
さらに、シート材Ｓに関して、燃えるゴミとして分類可能な材料、例えばバイオマス材により構成したり、古紙再生繊維を５０質量パーセント以上含むことで所定の柔軟性を有するものとしたり、掬い対象の物品との親和性を増加する材料により表面処理を施したり、表面と裏面とで異なる表面処理を施したり、表面に掬い対象の物品に関する情報を印刷したり、複数の層からなる材料で構成し、掬い部４２の内側表面を構成する層を耐蝕性や耐熱性を有する材料とするものとしたり、抗菌処理を施したりしてもよい。
【００３７】
＜目盛を設ける変形例＞
図４（ａ）に示されるように、掬い部４２の内側面に、印刷による目盛４３，４４を設ける態様もあり得る。これにより、物品を正確に計量することができる。なお、例示の目盛４３および目盛４４は、それぞれ水３０リットルおよび水４５リットルに対する洗剤の適量を示すものである。なお、印刷による目盛４３，４４に代えて、折り線による目盛を設けるようにしてもよい。
【００３８】
＜使用状態への操作方法の説明を設ける変形例＞
図４（ｂ）に示されるように、掬い部４２の底板２，３の裏側面に、使用状態への操作方法の説明を印刷するようにしてもよい。
【００３９】
＜折曲フラップを設ける変形例＞
図４（ｃ）に示されるように、把持部４１を後方に延長し、この延長部分の上部に、折り線４５に沿って左右方向に折り曲げ可能な折曲フラップ４６を設ける態様もあり得る。これにより、把持部４１がより持ち易くなり、物品の掬い動作をより快適に行うことができる。
【００４０】
＜複数個連設する変形例＞
また、図示による詳細な説明は省略するが、折畳状態の掬い具１を相互に切り離し可能な状態で複数個連ねたり、これら複数個連ねた掬い具１は相互に大きさが異なる掬い具となるシート材から構成したり、それら複数個連ねた掬い具１は分離して立体形状に変形させたときに相互に異なる形状となる折り線を備えたシート材から構成したりする態様もあり得る。
【産業上の利用可能性】
【００４１】
本発明の掬い具は、紙製等のシート材で嵩低くコンパクトに折畳可能であるとともに、簡易な操作で使用可能な形態に変化させることができるという特性を有していることから、例えば洗剤等を収容した容器に洗剤等と共に収容される計量スプーンの用途に好適に用いることができるほか、例えばペットの糞などの汚物を処理する際のシャベルの用途にも用いることができる。
【符号の説明】
【００４２】
１            掬い具
２            第１底板
３            第２底板
４            第１左側板
４´          第１右側板
５            第２左側板
５´          第２右側板
１１〜２６    第１折り線〜第１６折り線
４１          把持部
４２          掬い部
４２ａ        掬い部本体
４２ｂ        変形接続部
４３，４４    目盛
ＣＬ          中央折り線
Ｓ            シート材
【図１】
2012215565.tif 000003
【図２】
2012215565.tif 000004
【図３】
2012215565.tif 000005
【図４】
2012215565.tif 000006